(57)【特許請求の範囲】
【請求項１】
図柄を表示する図柄表示部と当該基板に関する情報を表記する情報表記部とを同一面に備えた基板が取り付けられる保護部材と、前記情報表記部を前記同一面と対向する正面方向から視認できないように被覆するとともに前記保護部材を装飾する装飾部材とを備えた遊技部材であって、
前記保護部材が前記基板に取り付けられ、かつ前記装飾部材が前記情報表記部を被覆した状態で、前記情報表記部を前記基板が延びる側面方向から視認可能とする情報視認可能部と、
前記保護部材が前記基板に取り付けられ、かつ前記装飾部材が前記情報表記部を被覆した状態で、前記図柄表示部を前記正面方向から視認可能とする図柄視認可能部とを備えたことを特徴とする遊技部材。
【請求項２】
前記保護部材は、前記保護部材に取り付けられた前記基板を取り囲むように前記基板と垂直に延びる、前記基板を内部に収容するための側面部を有し、
前記情報視認可能部は、前記保護部材の側面部に設けられて、前記情報表記部を前記保護部材の内部から前記側面方向に露出させることを特徴とする請求項１に記載の遊技部材。
【請求項３】
前記情報視認可能部は、前記保護部材の側面部に形成された、前記情報表記部を視認可能とする略スリット状の視認窓であることを特徴とする請求項２に記載の遊技部材。
【請求項４】
前記情報視認可能部は、前記保護部材の側面部に形成された、前記情報表記部を視認可能とする透明部材による視認窓であることを特徴とする請求項２に記載の遊技部材。
【請求項５】
遊技球が流下する遊技領域に、請求項１乃至４のいずれかに記載の遊技部材が設けられた遊技盤と、
前記遊技盤に対して開閉自在に設けられ、前記遊技盤に対して閉じられた状態で少なくとも前記図柄視認可能部を前記正面方向から視認可能とする透明なガラス板を保持する前面枠とを備え、
前記前面枠は、前記遊技盤に対して閉じられた場合に、前記情報視認可能部を隠蔽することで前記情報表記部を前記側面方向から視認不能とする一方、前記遊技盤に対して開かれた場合に、前記情報視認可能部を開放することで前記情報表記部を前記側面方向から視認可能とすることを特徴とする遊技機。
【発明の詳細な説明】
【技術分野】
【０００１】
本発明は、各種基板に取り付けられる遊技部材及びそれを備えた遊技機に関する。
【背景技術】
【０００２】
従来、パチンコ機などの遊技機には、各種図柄を表示するための表示画面や各種制御素子を備えた図柄表示装置が、遊技球が流下する遊技盤に設けられている。そして、図柄表示装置の正面側には、遊技機に合わせて様々に加工された装飾用の遊技部材が取り付けられている。通常、このような遊技部材は図柄表示装置を装飾するのみでなく、表示画面以外の基板部分を遊技者が視認できないように隠蔽する役割も有している。
【０００３】
そして、制御基板においては、一般に、制御素子に当該制御素子に関する情報（製造番号や識別番号等）が印字されており、また制御基板の表面にも当該制御基盤に関する情報（製造番号や識別番号等）が印字されている。そのため、これらの制御素子や制御基板に関する情報を確認することで、不正に制御素子や制御基板を交換するといった不正行為を把握することができる。
【０００４】
そこで、制御素子などが実装されている制御基板を保護する保護カバーを一組の基板ボックスとし、保護カバーの一部又は全部を透明に形成し、保護カバーの透明箇所から制御素子や制御基板に関する情報を確認できるようにして、パチンコ機の不正作動事態の発生を防止することができるようにした遊技機用制御装置が知られている（例えば、特許文献１参照）。
【特許文献１】特開平１１−１６４９５１号公報
【発明の開示】
【発明が解決しようとする課題】
【０００５】
しかしながら、近年の遊技機では、遊技の興趣を向上させるために図柄表示装置が大型化しており、また電飾ランプやＬＥＤなどの各種部品の点数が増加している。そのため、遊技盤における図柄表示装置の配置箇所が限定されてしまい、以下のような問題が生じている。
【０００６】
すなわち、遊技機の物理的構成が複雑化したことに伴い、遊技盤の裏面には球通路樋や基板ボックスが複雑かつ多量に配置されることになるため、制御基板に印字された制御素子や制御基板に関する情報を確認するためには、遊技盤の裏面から複数の部材を取り外してからでないと、制御基板の各種情報を確認することができない。つまり、制御基板の各種情報を確認しようとすると、各種部材の取り外し作業を伴うために多大な時間を要することになり、不正行為の確認が遅れてしまい多大な損失を生じることがあった。
【０００７】
本発明は、上述の問題点を解決するためになされたものであり、多大な作業時間を要することなく簡易に制御基板などに関する情報を確認することができ、不正行為の発生防止やメンテナンスの容易化を実現することができる遊技部材及びそれを備えた遊技機の提供を目的とする。
【課題を解決するための手段】
【０００８】
上記課題を解決するため、請求項１に係る発明の遊技部材は、図柄を表示する図柄表示部と当該基板に関する情報を表記する情報表記部とを同一面に備えた基板が取り付けられる保護部材と、前記情報表記部を前記同一面と対向する正面方向から視認できないように被覆するとともに前記保護部材を装飾する装飾部材とを備えた遊技部材であって、前記保護部材が前記基板に取り付けられ、かつ前記装飾部材が前記情報表記部を被覆した状態で、前記情報表記部を前記基板が延びる側面方向から視認可能とする情報視認可能部と、前記保護部材が前記基板に取り付けられ、かつ前記装飾部材が前記情報表記部を被覆した状態で、前記図柄表示部を前記正面方向から視認可能とする図柄視認可能部とを備えたことを特徴とする。
【０００９】
また、請求項２に係る発明の遊技部材は、請求項１に記載の発明の構成に加えて、前記保護部材は、前記保護部材に取り付けられた前記基板を取り囲むように前記基板と垂直に延びる、前記基板を内部に収容するための側面部を有し、前記情報視認可能部は、前記保護部材の側面部に設けられて、前記情報表記部を前記保護部材の内部から前記側面方向に露出させることを特徴とする。
【００１０】
また、請求項３に係る発明の遊技部材は、請求項２に記載の発明の構成に加えて、前記情報視認可能部は、前記保護部材の側面部に形成された、前記情報表記部を視認可能とする略スリット状の視認窓であることを特徴とする。
【００１１】
また、請求項４に係る発明の遊技部材は、請求項２に記載の発明の構成に加えて、前記情報視認可能部は、前記保護部材の側面部に形成された、前記情報表記部を視認可能とする透明部材による視認窓であることを特徴とする。
【００１２】
また、請求項５に係る発明の遊技機は、遊技球が流下する遊技領域に、請求項１乃至４のいずれかに記載の遊技部材が設けられた遊技盤と、前記遊技盤に対して開閉自在に設けられ、前記遊技盤に対して閉じられた状態で少なくとも前記図柄視認可能部を前記正面方向から視認可能とする透明なガラス板を保持する前面枠とを備え、前記前面枠は、前記遊技盤に対して閉じられた場合に、前記情報視認可能部を隠蔽することで前記情報表記部を前記側面方向から視認不能とする一方、前記遊技盤に対して開かれた場合に、前記情報視認可能部を開放することで前記情報表記部を前記側面方向から視認可能とすることを特徴とする。
【発明の効果】
【００１３】
請求項１に係る発明の遊技部材では、保護部材に基板が取り付けられ、かつ装飾部材が情報表記部を被覆した状態で、情報表記部を側面方向から視認可能とする情報視認可能部を備えるようにした。よって、多大な作業時間を要することなく簡易に制御基板などに関する情報を確認することができ、不正行為の発生防止やメンテナンスの容易化を実現することができる。
さらに、保護部材が基板に取り付けられ、かつ装飾部材が情報表記部を被覆した状態で、図柄表示部を正面方向から視認可能とする図柄視認可能部を備えるようにした。よって、図柄表示部に表示されている図柄を、遊技者が適切に視認できるようにすることができる。
【００１４】
また、請求項２に係る発明の遊技部材では、請求項１に記載の発明の効果に加えて、情報視認可能部を、基板を内部に収容する保護部材の側面部に設けることで、情報表記部を保護部材の内部から側面方向に露出させることができる。
【００１５】
また、請求項３に係る発明の遊技部材では、請求項２に記載の発明の効果に加えて、保護部材の側面部に形成された略スリット状の視認窓から情報表記部を視認可能とした。よって、情報表記部に表記されている情報を、管理者が適切に視認できるようにすることができる。
【００１６】
また、請求項４に係る発明の遊技部材では、請求項２に記載の発明の効果に加えて、保護部材の側面部に形成された透明部材による視認窓から情報表記部を視認可能とした。よって、情報表記部に表記されている情報を、管理者が適切に視認できるようにすることができる。
【００１７】
また、請求項５に係る発明の遊技機では、遊技球が流下する遊技盤に、請求項１乃至４のいずれかに記載の遊技部材を設けた。よって、多大な作業時間を要することなく簡易に制御基板などに関する情報を確認することができ、不正行為の発生防止やメンテナンスの容易化を実現することができる。
【発明を実施するための最良の形態】
【００１８】
以下、本発明を具体化したパチンコ機１に係る第１の実施の形態について、図面を参照して説明する。まず、図１及び図２を参照して、パチンコ機１の機械的構成について説明する。図１は、パチンコ機１の正面図である。図２は、遊技盤２の正面図である。
【００１９】
図１に示すように、パチンコ機１の正面の上半分の部分には、発射ハンドル７の操作により図示外の発射機から発射された遊技媒体としての遊技球が流下する遊技盤２が設けられている。この遊技盤２は略正方形であり（図２参照）、透明なガラス板を保持した前面枠１３で保護されている。遊技盤２の下方部には、発射機に遊技球を供給し、かつ賞品球を受ける上皿５が設けられている。そして、上皿５の直下には、賞品球を受ける下皿６が設けられ、下皿６の右横には遊技球の発射を調整する発射ハンドル７が設けられている。さらに、上皿５と下皿６との間にはスピーカー（図示外）がそれぞれ設けられている。また、上皿５の中央部左側に半円形をなすボタン式のスイッチ９０が設けられている。
【００２０】
また、図２に示すように、遊技盤２の前面にはガイドレール３で囲まれた略円形の遊技領域４が設けられている。この遊技領域４の略中央には、ＬＣＤから構成された表示画面２８，各種ランプ，ＬＥＤなどを備えた図柄表示装置８が設けられている。この図柄表示装置８の左側方には普通図柄始動ゲート１２が設けられている。また、図柄表示装置８の下側には特別図柄始動電動役物１５が設けられており、特別図柄始動電動役物１５の下方に大入賞口１６が設けられている。そして、特別図柄始動電動役物１５の左右には普通入賞口１９，２０がそれぞれ設けられており、大入賞口１６の左右にも普通入賞口１７，１８がそれぞれ設けられている。
【００２１】
また、図柄表示装置８の左肩にはワープ入口２２が設けられている。さらに、図柄表示装置８の下部にはワープ出口２１（図３参照）が設けられ、ワープ入口２２を通過した遊技球は図柄表示装置８の内部（ワープゾーン）を通ってワープ出口２１へ現出するようになっている。ワープ出口２１に現出した遊技球は、ワープ出口２１の直下に設けられている特別図柄始動電動役物１５に向かって落下するので、特別図柄始動電動役物１５に入賞しやすい。なお、遊技盤２（図２参照）には、上記以外に種々の電飾ランプやその他の電飾用ＬＥＤ、風車及び多数の障害釘等が設けられている。
【００２２】
次に、図３及び図４を参照して、遊技部材１００が取り付けられた図柄表示装置８について説明する。図３は、第１の実施の形態における、遊技部材１００が取り付けられた図柄表示装置８の正面図である。図４は、第１の実施の形態における、遊技部材１００が取り付けられた図柄表示装置８の右側面図である。
【００２３】
図３及び図４に示すように、図柄表示装置８は、中央に表示画面２８を備えている。そして、表示画面２８の中央に、デモ図柄表示部Ｄ１，デモ図柄表示部Ｄ３，デモ図柄表示部Ｄ２が左から順に並んで設けられている。デモ図柄表示部Ｄ１〜Ｄ３は、数字や図柄等から成る複数種類のデモ図柄を表示可能であり、遊技者の目を惹くように、後述の特別図柄表示部５１よりも広い領域を占めている。なお、デモ図柄表示部Ｄ１〜Ｄ３には常にデモ図柄が表示されているわけではなく、これらの表示に代えて動画やメッセージ等も表示できるようになっている。
【００２４】
また、図柄表示装置８は、表示画面２８の右下に７セグメントＬＥＤから構成される特別図柄表示部５１及び普通図柄表示部５２が設けられている。特別図柄表示部５１は２つの７セグメントＬＥＤで構成され、２桁の数字や２文字のアルファベット等の特別図柄を表示する。一方、普通図柄表示部５２は１つの７セグメントＬＥＤで構成され、１桁の数字や１文字のアルファベット等の普通図柄を表示する。なお、図柄表示装置８は、後述するように、その裏面側に表示画面２８を有する液晶表示ユニットを備えており、さらに、図柄表示装置８は、特別図柄表示部５１及び普通図柄表示部５２での図柄表示部を基板部５３に備えたＬＥＤ表示基板５０や、その他の電飾基板など図示外の各種基板を備えている。
【００２５】
本実施の形態に係るパチンコ機１では、遊技球が特別図柄始動電動役物１５へ入賞すると大当たり抽選が行われる。この大当たり抽選の結果が大当たりとなると、パチンコ機１が特別遊技状態となり、大入賞口１６が開放され、遊技者は多数の遊技球を獲得することができる。また、この大当たり抽選の結果は特別図柄表示部５１に表示され、さらに、デモ図柄表示部Ｄ１〜Ｄ３にも表示される。デモ図柄表示部Ｄ１〜Ｄ３は、特別図柄表示部５１よりも遊技者の目を惹くように構成されており、さらに、表示画面２８の背景画面やその他の種々の電飾ランプやスピーカーから出力される効果音等の演出と同期して、大当たり判定の結果報知を行い、遊技者の大当たり判定結果への関心や期待感を高める働きをしている。
【００２６】
ところで、図柄表示装置８には、遊技者側からみた正面側に遊技部材１００が設けられている。この遊技部材１００は、その遊技部材本体１０１によってパチンコ機１（特に、ＬＥＤ表示基板５０）を装飾するとともに、所定部位を遊技者が視認できないように被覆するものである。本実施の形態では、遊技部材１００の遊技部材本体１０１が、パチンコ機１の装飾を主機能とする装飾カバー３０と、ＬＥＤ表示基板５０の保護を主機能とする保護カバー４０とが組み合わされて構成されている。
【００２７】
装飾カバー３０は、メッキ加工，有色樹脂，装飾用シールなどを用いて各種装飾が形成された部材であり、正面視、その背後を遊技者側から見えないように被覆するが、その中央には略長方形状の断面をなす貫通孔である図柄視認窓３０ａが形成されている。図柄視認窓３０ａは、遊技者が表示画面２８を視認するための部位であり、その形状及び大きさは表示画面２８と略等しい。
【００２８】
また、装飾カバー３０の右下部分には、略２つの円形が連通した断面をなす貫通孔である図柄視認窓３０ｂと、略円形の断面をなす貫通孔である図柄視認窓３０ｃとが、上下に並んで形成されている。図柄視認窓３０ｂは、遊技者が特別図柄表示部５１を視認するための部位であり、その大きさは特別図柄表示部５１と略等しい。同様に、図柄視認窓３０ｃは、遊技者が普通図柄表示部５２を視認するための部位であり、その大きさは普通図柄表示部５２と略等しい。但し、特別図柄表示部５１及び普通図柄表示部５２に表示される図柄は、図柄視認窓３０ｂ，３０ｃを介して、遊技者に対して略円形の輪郭で表示される。
【００２９】
ここで、装飾カバー３０の右下部分における背面には、その背面方向に開口した有底箱状の保護カバー４０が設置されており、保護カバー４０の開口底面と装飾カバー３０の背面とが面接合されている。保護カバー４０は、後述するＬＥＤ表示基板５０を内部に収容して、外部から不正にＬＥＤ表示基板５０が交換されることを防止するための保護部材である。また、保護カバー４０は、メッキ等で構成された装飾カバー３０によるノイズ干渉からＬＥＤ表示基板５０を保護する機能を有する。これは、メッキ等を用いた装飾部材では、装飾部材に電荷が溜まることでノイズ等が発生することがあるため、基板へ直接影響がでないように講ずる処置である。なお、保護カバー４０は不透明なプラスチック製部材であり、本実施の形態ではポリカーボネート（ＰＣ）製の有色部材である。
【００３０】
また、保護カバー４０の開口底面には、装飾カバー３０の図柄視認窓３０ｂ，３０ｃと各々連通し、図柄視認窓３０ｂ，３０ｃと同一形状及び大きさの貫通孔４０ｂ，４０ｃが形成されている。さらに、保護カバー４０の右側面には、スリット状（貫通形状）の視認窓である情報視認窓４０ａが形成されているが、詳細は後述する。
【００３１】
このような構成の遊技部材１００を図柄表示装置８の正面に取り付けた場合、ＬＥＤ表示基板５０の特別図柄表示部５１及び普通図柄表示部５２に表示される各図柄は、それぞれ貫通孔４０ｂ，４０ｃを介して、装飾カバー３０に形成された図柄視認窓３０ｂ，３０ｃから遊技者等に対して表示される。一方、ＬＥＤ表示基板５０における他の部位は、保護カバー４０によって見えないように遮られているため、遊技者等は視認することができない。
【００３２】
なお、装飾カバー３０の下部には、先述のワープ出口２１が設けられている。また、図柄表示装置８の側面全周に突出した板状の取付部２９が形成されている。そして、遊技部材１００を図柄表示装置８の正面側に取り付ける場合、この取付部２９に遊技部材１００が固定される。また、取付部２９には複数箇所のネジ穴が形成されており、遊技部材１００を図柄表示装置８の正面に配置した後、このネジ穴にボルトを挿嵌することで遊技部材１００がパチンコ機１に取り付けられる。そして、遊技部材１００の背後において、ＬＥＤ表示基板５０が保護カバー４０内に取り付けられ、かつ装飾カバー３０で被覆及び装飾される。
【００３３】
次に、図５及び図６を参照して、ＬＥＤ表示基板５０について説明する。図５は、第１の実施の形態における、装飾カバー３０を図示しない図柄表示装置８の正面図である。図６は、第１の実施の形態における、装飾カバー３０を図示しない図柄表示装置８の外観斜視図である。なお、図５及び図６では、理解を容易にするために、装飾カバー３０を図示しない一方、保護カバー４０を仮想線で図示している。また、図６は左下方向がパチンコ機１の正面方向にあたる。
【００３４】
図５及び図６に示すように、各種表示素子が配設された制御基板であるＬＥＤ表示基板５０は、正面視、略正三角形状の板状基板である基板部５３の表面に特別図柄表示部５１及び普通図柄表示部５２が上下に並んで配置されている。そして、基板部５３の表面には、ＬＥＤ表示基板５０に関する情報が表記された情報表記部５５が形成されている。本実施の形態では、情報表記部５５に「○○○○○○○○  １０−０００」と表記されており、「○○○○○○○○」が表示素子である特別図柄表示部５１及び普通図柄表示部５２の製造番号を示し、「１０−０００」がＬＥＤ表示基板５０の製品名を示す。
【００３５】
そして、図５に示すように、正面視では、ＬＥＤ表示基板５０のうち、図柄視認窓３０ｂ，３０ｃ（貫通孔４０ｂ，４０ｃ）から特別図柄表示部５１及び普通図柄表示部５２は視認できるが、情報表記部５５は保護カバー４０に遮られて視認することができない。一方、保護カバー４０の右側面部には、縦長のスリット状（貫通形状）の視認窓である情報視認窓４０ａが形成されている（図４参照）。情報視認窓４０ａは情報表記部５５を確認するための部位であり、パチンコ機１の管理者は保護カバー４０を取り外さなくても情報視認窓４０ａを介して、図柄表示装置８の右側面方向から情報表記部５５の内容を視認できる。
【００３６】
ここで、本実施の形態に係るパチンコ機１において、図柄表示装置８は遊技盤２に取り付けられて、透明なガラス板を保持した前面枠１３で保護されている。そして、通常の遊技状態時には前面枠１３が閉じられているため、遊技者は遊技盤２の正面は視認できるものの、図柄表示装置８を右側面方向から視認することはできない。すなわち、通常は、遊技者が情報視認窓４０ａから情報表記部５５を視認することはできない。
【００３７】
一方、パチンコ機１の管理者が、ＬＥＤ表示基板５０が不正に交換されていないか等を把握する必要がある場合は、前面枠１３を開くことで、遊技盤２に取り付けられた図柄表示装置８を右側面方向から視認することができる。そして、遊技盤２から図柄表示装置８を取り外したり、図柄表示装置８から装飾カバー３０を取り外したりなどの作業を行わなくても、管理者は情報視認窓４０ａから情報表記部５５を確認することができる。その結果、情報表記部５５の表記内容が正規のものと異なっている場合は、ＬＥＤ表示基板５０が不正に交換されたものと判断でき、パチンコ機１の使用中止などの対応措置をとることができる。
【００３８】
以上、第１の実施の形態に係る遊技部材１００及びパチンコ機１によれば、保護カバー４０にＬＥＤ表示基板５０が取り付けられ、かつ装飾カバー３０が情報表記部５５を被覆した状態で、情報表記部５５を側面方向から視認可能とする情報視認窓４０ａを備えるようにした。よって、多大な作業時間を要することなく簡易にＬＥＤ表示基板５０などに関する情報を確認することができ、不正行為の発生防止やメンテナンスの容易化を実現することができる。
【００３９】
また、保護カバー４０にＬＥＤ表示基板５０が取り付けられ、かつ装飾カバー３０が情報表記部５５を被覆した状態で、特別図柄表示部５１及び普通図柄表示部５２を正面方向から視認可能とする図柄視認窓３０ｂ，３０ｃ（貫通孔４０ｂ，４０ｃ）を備えるようにした。よって、特別図柄表示部５１及び普通図柄表示部５２に表示されている図柄を、遊技者が適切に視認できるようにすることができる。
【００４０】
また、保護カバー４０の側面部に、情報表記部５５を視認可能とする略スリット状（貫通形状）の情報視認窓４０ａを設けた。よって、情報表記部５５に表記されている情報を、管理者が適切に視認できるようにすることができる。
【００４１】
次に、本発明を具体化したパチンコ機１に係る第２の実施の形態について、図面を参照して説明する。なお、パチンコ機１の機械的構成は、第１の実施の形態のもの（図１及び図２参照）と同様であるから、その説明は省略する。
【００４２】
まず、図７及び図８を参照して、遊技部材１００が取り付けられた図柄表示装置８について説明する。図７は、第２の実施の形態における、遊技部材１００が取り付けられた図柄表示装置８の正面図である。図８は、第２の実施の形態における、遊技部材１００が取り付けられた図柄表示装置８の右側面図である。
【００４３】
図７及び図８に示すように、本実施の形態に係る図柄表示装置８は、正面視、遊技者から見た外観は第１の実施の形態のもの（図３参照）と同様である。また、本実施の形態に係る遊技部材１００を構成する保護カバー４０´は、基本的な形状や大きさなどは第１の実施の形態の保護カバー４０と同様である（図４参照）。しかし、本実施の形態に係る保護カバー４０´は、透明性プラスチックで形成された透明体であり、例えば、保護カバー４０´は、ポリカーボネート（ＰＣ），ポリメチルメタクリレート（ＰＭＭＡ），ポリエチレンテレフタレート（ＰＥＴ），ポリプロピレン（ＰＰ），ポリスチレン（ＰＳ），ポリ塩化ビニル（ＰＶＳ），ＡＢＳ樹脂などの透明性プラスチックで構成される。
【００４４】
次に、図９及び図１０を参照して、ＬＥＤ表示基板５０について説明する。図９は、第２の実施の形態における、装飾カバー３０を図示しない図柄表示装置８の正面図である。図１０は、第２の実施の形態における、装飾カバー３０を図示しない図柄表示装置８の外観斜視図である。なお、図９及び図１０では、理解を容易にするために、装飾カバー３０を図示しない一方、保護カバー４０´を仮想線で図示している。また、図１０は左下方向がパチンコ機１の正面方向にあたる。
【００４５】
図９及び図１０に示すように、本実施の形態に係るＬＥＤ表示基板５０は、第１の実施の形態のものと同様であり（図５及び図６参照）、保護カバー４０に替えて保護カバー４０´が設けられている点のみが異なる。そして、本実施の形態に係る保護カバー４０´には、第１の実施の形態に係る保護カバー４０と異なり、遊技者が特別図柄表示部５１及び普通図柄表示部５２を視認するための貫通孔（貫通孔４０ｂ，４０ｃ）や、管理者が情報表記部５５を視認するための貫通孔（情報視認窓４０ａ）は設けられていない。
【００４６】
一方、保護カバー４０´は、その内部に収容されたＬＥＤ表示基板５０を外部から視認可能な透明体である。よって、特別図柄表示部５１及び普通図柄表示部５２に表示される図柄を、遊技者は図柄視認窓３０ｂ，３０ｃを介して視認することができる。また、情報表記部５５に表記される各種情報を、管理者は図柄表示装置８の右側面方向から視認することができる。
【００４７】
このように、本実施の形態では保護カバー４０´を透明体として構成したので、保護カバー４０´に貫通孔やスリットを形成しなくても、その内部に取り付けられているＬＥＤ表示基板５０（特別図柄表示部５１，普通図柄表示部５２，情報表記部５５）を、保護カバー４０´の側面部から視認することができる。そして、第１の実施の形態と同様に、遊技者は情報表記部５５を視認することがない一方、管理者は必要に応じて情報表記部５５を確認することができる。
【００４８】
以上、第２の実施の形態に係る遊技部材１００及びパチンコ機１によれば、保護カバー４０´の側面部に、情報表記部５５を視認可能とする透明部材による視認窓を設けた。よって、情報表記部５５に表記されている情報を、管理者が適切に視認できるようにすることができる。
【００４９】
ところで、上記実施の形態において、ＬＥＤ表示基板５０が本発明の「基板」に相当し、保護カバー４０，４０´が本発明の「保護部材」に相当し、装飾カバー３０が本発明の「装飾部材」に相当する。そして、情報視認窓４０ａと保護カバー４０´の側面部とが本発明の「情報視認可能部」に相当し、詳細には、情報視認窓４０ａが本発明の「略スリット状の視認窓」に、保護カバー４０´の側面部が本発明の「透明部材による視認窓」に相当する。また、特別図柄表示部５１及び普通図柄表示部５２が本発明の「図柄表示部」に相当し、図柄視認窓３０ｂ，３０ｃが本発明の「図柄視認可能部」に相当する。
【００５０】
なお、本発明は、以上詳述した実施の形態に限定されるものではなく、種々の変更が可能である。例えば、上記実施形態では遊技機の一種であるパチンコ機１を例に挙げているが、遊技機はパチンコ機に限られず、パチコン機、パチスロ台等の各種の遊技機に適用可能である。
【００５１】
また、上記実施の形態では、遊技部材１００において、保護カバー４０の側面に情報視認窓４０ａのような「情報視認可能部」を設けている。しかし、装飾カバー３０の形状や大きさによっては、装飾カバー３０と保護カバー４０とがＬＥＤ表示基板５０の情報表記部５５を、その側面においても二重に被覆することがある。例えば、装飾カバー３０が、保護カバー４０をその内部に収容するような有底箱状に構成されている場合などである。かかる場合は、装飾カバー３０及び保護カバー４０の両側面に連通するように、スリット状の情報視認窓や透明部材による透明部位などの「情報視認可能部」を設けるようにしてもよい。
【００５２】
また、上記実施の形態では、「基板」としてＬＥＤ表示基板５０を用いた場合を例示したが、制御基板や制御素子に関する情報を表記する部位（情報表記部５５）を有する基板であれば、本発明を適用できる。例えば、「基板」として、パチンコ機１の音声を制御する音声基板や電飾表示を制御する電飾基板など、任意の基板を用いればよい。
【００５３】
また、上記実施の形態では、「図柄表示部」として７セグメントＬＥＤ（特別図柄表示部５１及び普通図柄表示部５２）を例示した。ここで、本発明における「図柄」とは、表示手段による画像，動画，点灯，点滅などの遊技に関する情報をいい、他の表示手段を用いて「図柄」を表示しても本発明を適用できる。例えば、「図柄表示部」として、液晶ディスプレイ，電飾ランプ，有機ＥＬディスプレイなど、任意の表示手段を用いればよい。
【００５４】
また、上記実施の形態では、「情報視認可能部」としてスリット状の視認窓（情報視認窓４０ａ）と透明部材（保護カバー４０´の側面部）を例示したが、これらの構成は任意に変更可能である。例えば、「視認窓」は、円形状，三角形状，切り欠き形状などの任意の断面形状とすることができ、その大きさや位置も任意に変更すればよい。また、「透明部材」は、その内部を視認することができる透過性を有していれば、有色のものとしてもよい。
【００５５】
また、遊技部材１００についても、パチンコ機１や図柄表示装置８に応じてその形状や大きさを任意に変更可能である。上記実施の形態では、遊技部材本体１０１は独立した部品である装飾カバー３０と保護カバー４０とを組み合わせて構成されているが、装飾カバー３０と保護カバー４０とが一体となった一部品として構成されていてもよい。さらに、上記実施の形態では、装飾カバー３０が一部品として構成されているが、ＬＥＤ表示基板５０側を装飾する部品と表示画面２８側を装飾する部品とを別パーツとして、各パーツを着脱可能に組み合わせて装飾カバー３０を実装してもよい。また、保護カバー４０，４０´は、その内部に基板を収容することができれば大きさや形状は任意に変更可能である。
【００５６】
また、「視認窓」に対して各種の工夫を施してもよい。例えば、情報視認窓４０ａには、透明な樹脂を使用した別部材を着脱可能としてもよいし、視認窓大の透明部分を備えた装飾用シールを貼り付けた構成としてもよく、かかる構成により保護カバー４０内への粉塵の混入を防止することができる。さらに、「図柄表示部」から発せられる光が拡散するように、その一部がレンズやローレット等加工されるようにしてもよく、かかる構成により遊技の興趣を向上させることができる。
【００５７】
さらに、「情報表記部」に表記される情報は、当該基板に関する情報であれば実装や目的に応じて任意の内容を表記することができる。例えば、制御基板や制御素子などに関する製造メーカ，製造日時，ＩＤ情報などを表記してもよい。また、「情報表記部」の表記位置や大きさも、「情報視認可能部」から視認できるのであれば任意の位置や大きさとすることができる。例えば、基板に配設された制御素子自体や表示素子自体に、各々に関する情報を表記してもよい。
【産業上の利用可能性】
【００５８】
本発明の遊技部材及びそれを備えた遊技機は、パチンコ機に限られず、パチコン機、パチスロ機等の各種の遊技機に適用することができる。
【図面の簡単な説明】
【００５９】
【図１】パチンコ機１の正面図である。
【図２】遊技盤２の正面図である。
【図３】第１の実施の形態における、遊技部材１００が取り付けられた図柄表示装置８の正面図である。
【図４】第１の実施の形態における、遊技部材１００が取り付けられた図柄表示装置８の右側面図である。
【図５】第１の実施の形態における、装飾カバー３０を図示しない図柄表示装置８の正面図である。
【図６】第１の実施の形態における、装飾カバー３０を図示しない図柄表示装置８の外観斜視図である。
【図７】第２の実施の形態における、遊技部材１００が取り付けられた図柄表示装置８の正面図である。
【図８】第２の実施の形態における、遊技部材１００が取り付けられた図柄表示装置８の右側面図である。
【図９】第２の実施の形態における、装飾カバー３０を図示しない図柄表示装置８の正面図である。
【図１０】第２の実施の形態における、装飾カバー３０を図示しない図柄表示装置８の外観斜視図である。
【符号の説明】
【００６０】
１    パチンコ機
２    遊技盤
３    ガイドレール
４    遊技領域
５    上皿
６    下皿
７    発射ハンドル
１２    普通図柄始動ゲート
１３    前面枠
１５    特別図柄始動電動役物
１６    大入賞口
１７，１８，１９，２０    普通入賞口
２１    ワープ出口
２２    ワープ入口
２８    表示画面
２９    取付部
３０    装飾カバー
４０    保護カバー
４０ａ    情報視認窓
４０ｂ，４０ｃ    貫通孔
５０    ＬＥＤ表示基板
５１    特別図柄表示部
５２    普通図柄表示部
５３    基板部
５５    情報表記部
９０    スイッチ
１００    遊技部材
１０１    遊技部材本体
【図１】
0004756538.tif 000002
【図２】
0004756538.tif 000003
【図３】
0004756538.tif 000004
【図４】
0004756538.tif 000005
【図５】
0004756538.tif 000006
【図６】
0004756538.tif 000007
【図７】
0004756538.tif 000008
【図８】
0004756538.tif 000009
【図９】
0004756538.tif 000010
【図１０】
0004756538.tif 000011